(57)【要約】【課題】画面焼けを防止できるテレビジョン受像機を提供する。【解決手段】テレビジョン受像機１００の制御部１１は、例えば、図２に示すように、ＣＰＵ（Central Processing Unit）１２，ＲＡＭ（Random Access Memory）１３，記憶部１４等を備えている。記憶部１４には、帯画像判断プログラム１４Ａ，輝度補正プログラム１４Ｂ，色補正プログラム１４C，表示制御プログラム１４Ｄ等が格納されている。そして、ＣＰＵ１２が輝度補正プログラム１４Ｂを実行することにより、境界部８Ｃからの輝度を段階的に変化させるグラデーション処理が行われる。また、ＣＰＵ１２が色補正プログラム１４Ｃを実行することにより、境界部の色を段階的に変化させるグラデーション処理が行われるようになっている。【選択図】図１
2008300930.tif 000002
【特許請求の範囲】
【請求項１】
デジタル放送信号を受信する受信手段と、前記受信手段により受信されたデジタル放送信号中の画像データに基づきコンテンツ画像を表示する表示手段と、前記コンテンツ画像がＳＤ画像の場合に、当該コンテンツ画像の左右に帯画像が付加された画像を１６：９のアスペクト比で前記表示手段に表示させる表示制御手段と、を備えるテレビジョン受像機であって、
前記表示手段中に表示される画像の水平方向における所定位置近傍の前記画像データに基づいて、前記帯画像が付加されているか否かを判断する判断手段と、
前記判断手段により、前記帯画像が付加されていると判断された場合に、当該帯画像における前記コンテンツ画像との境界部の輝度を、前記境界部と隣接するコンテンツ画像の輝度との差が所定の範囲内となるように補正する輝度補正手段と、
を備えることを特徴とするテレビジョン受像機。
【請求項２】
請求項１に記載のテレビジョン受像機において、
前記判断手段により、前記帯画像が付加されていると判断された場合に、当該帯画像における前記コンテンツ画像との境界部の色を、前記境界部と隣接するコンテンツ画像の色との差が所定の範囲内となるように補正する色補正手段を備えることを特徴とするテレビジョン受像機。
【請求項３】
請求項１又は２に記載のテレビジョン受像機において、
前記輝度補正手段は、前記境界部の輝度を段階的に変化させるグラデーション処理することを特徴とするテレビジョン受像機。
【請求項４】
請求項１〜３の何れか一項に記載のテレビジョン受像機において、
前記色補正手段は、前記境界部の色を段階的に変化させるグラデーション処理することを特徴とするテレビジョン受像機。
【請求項５】
デジタル放送信号を受信する受信手段と、前記受信手段により受信されたデジタル放送信号中の画像データに基づきコンテンツ画像を表示する表示手段と、前記コンテンツ画像がＳＤ画像の場合に、当該コンテンツ画像の左右に帯画像が付加された画像を１６：９のアスペクト比で前記表示手段に表示させる表示制御手段と、を備えるテレビジョン受像機であって、
前記表示手段中に表示される画像の水平方向における所定位置近傍の前記画像データに基づいて、前記帯画像が付加されているか否かを判断する判断手段と、
前記判断手段により、前記帯画像が付加されていると判断された場合に、当該帯画像における前記コンテンツ画像との境界部の輝度を、前記境界部と隣接するコンテンツ画像の輝度との差が所定の範囲内となるように補正する輝度補正手段と、
前記判断手段により、前記帯画像が付加されていると判断された場合に、当該帯画像における前記コンテンツ画像との境界部の色を、前記境界部と隣接するコンテンツ画像の色との差が所定の範囲内となるように補正する色補正手段と、
を備え、
前記輝度補正手段は、前記境界部の輝度を段階的に変化させるグラデーション処理を行い、前記色補正手段は、前記境界部の色を段階的に変化させるグラデーション処理を行うことを特徴とするテレビジョン受像機。
【発明の詳細な説明】
【技術分野】
【０００１】
本発明は、テレビジョン受像機に関し、特に、ハイビジョン放送信号を受信するテレビジョン受像機に関する。
【背景技術】
【０００２】
近年、ハイビジョン放送信号を受信するテレビジョン受像機にあっては、画面のアスペクト比（縦横比）が１６：９のワイド画面が主流となっており、また、地上デジタル放送においても、主にアスペクト比が１６：９のＨＤ（High Definition）コンテンツが放送されるようになっている。一方で、例えば、番組中の挿入画として、或いは、再放送番組として、従来の主流であるアスペクト比が４：３のＳＤ（Standard Definition）コンテンツがＨＤコンテンツと混在して放送される場合がある。
【０００３】
画面のアスペクト比が１６：９のテレビジョン受像機においてアスペクト比が４：３のＳＤコンテンツを表示する場合、例えば、チューナ側で画角情報を付加することにより、ＳＤ画面の左右両サイドに帯画像を付加したり、或いは、ＳＤ画像を含む映像ソースに予め帯画像を付加してＨＤコンテンツとしたものを放送局から送信したりすることで、いわゆる額縁放送の状態となる。なお、上記帯画像としては、例えば、黒色や青色等の単色の帯画像、或いは、模様や番組情報等を付加した帯画像が表示されるようになっている。
【０００４】
ここで、例えば、テレビジョン受像機等の表示画面やＰＣ等のモニタ等の表示部においては、所定の境界を挟んで両側の輝度や色彩の差が大きい状態で画面表示が長時間変化しない場合、その後に画面が切り替わっても残像が残る焼付け（いわゆる画面焼け）が起きることが問題となる。
【０００５】
上記問題に鑑みて、例えば、特定領域に静止画面を含む映像が入力されたとき、特定領域における輝度レベルを変化させて表示することにより、前記特定領域の焼付けを防止する構成としたテレビジョン受像機が知られている（例えば、特許文献１参照）。また、表示画面におけるデジタル放送信号に基づく画像以外の領域に黒帯表示を表示させる際に、この黒帯表示を行うべき領域において、上記画像との境界から遠ざかるに連れて段階的に輝度を低下させる構成としたテレビジョン受像機も知られている（例えば、特許文献２参照）。
【特許文献１】特開２００５−００３７４９号公報
【特許文献２】実用新案登録第３１１５１７６号公報
【発明の開示】
【発明が解決しようとする課題】
【０００６】
しかしながら、上記特許文献１、２に開示されるテレビジョン受像機は、デジタル放送信号から取得したアスペクト情報に基づきＳＤ画面であるか否かを判別し、画面両サイドの帯領域の輝度を変化させる処理を実行しているが、例えば、放送局から送られる映像ソース情報が、予めアスペクト比４：３のＳＤコンテンツを含んだ状態で、全体としてアスペクト比１６：９のＨＤコンテンツで送信される場合には、ＳＤコンテンツが表示されているか否かを検出することができず、ＳＤコンテンツ表示領域と左右両サイドの帯領域との境界に焼付けが生ずる虞があるという問題があった。
【０００７】
本発明の課題は、画面焼けをより確実に防止できるテレビジョン受像機を提供することにある。
【課題を解決するための手段】
【０００８】
上記課題を解決するために、請求項１に記載の発明は、
デジタル放送信号を受信する受信手段と、前記受信手段により受信されたデジタル放送信号中の画像データに基づきコンテンツ画像を表示する表示手段と、前記コンテンツ画像がＳＤ画像の場合に、当該コンテンツ画像の左右に帯画像が付加された画像を１６：９のアスペクト比で前記表示手段に表示させる表示制御手段と、を備えるテレビジョン受像機であって、
前記表示手段中に表示される画像の水平方向における所定位置近傍の前記画像データに基づいて、前記帯画像が付加されているか否かを判断する判断手段と、
前記判断手段により、前記帯画像が付加されていると判断された場合に、当該帯画像における前記コンテンツ画像との境界部の輝度を、前記境界部と隣接するコンテンツ画像の輝度との差が所定の範囲内となるように補正する輝度補正手段と、
を備えることを特徴とする。
【０００９】
請求項２に記載の発明は、請求項１に記載のテレビジョン受像機において、
前記判断手段により、前記帯画像が付加されていると判断された場合に、当該帯画像における前記コンテンツ画像との境界部の色を、前記境界部と隣接するコンテンツ画像の色との差が所定の範囲内となるように補正する色補正手段を備えることを特徴とする。
【００１０】
請求項３に記載の発明は、請求項１又は２に記載のテレビジョン受像機において、
前記輝度補正手段は、前記境界部の輝度を段階的に変化させるグラデーション処理することを特徴とする。
【００１１】
請求項４に記載の発明は、請求項１〜３の何れか一項に記載のテレビジョン受像機において、
前記色補正手段は、前記境界部の色を段階的に変化させるグラデーション処理することを特徴とする。
【００１２】
請求項５に記載の発明は、
デジタル放送信号を受信する受信手段と、前記受信手段により受信されたデジタル放送信号中の画像データに基づきコンテンツ画像を表示する表示手段と、前記コンテンツ画像がＳＤ画像の場合に、当該コンテンツ画像の左右に帯画像が付加された画像を１６：９のアスペクト比で前記表示手段に表示させる表示制御手段と、を備えるテレビジョン受像機であって、
前記表示手段中に表示される画像の水平方向における所定位置近傍の前記画像データに基づいて、前記帯画像が付加されているか否かを判断する判断手段と、
前記判断手段により、前記帯画像が付加されていると判断された場合に、当該帯画像における前記コンテンツ画像との境界部の輝度を、前記境界部と隣接するコンテンツ画像の輝度との差が所定の範囲内となるように補正する輝度補正手段と、
前記判断手段により、前記帯画像が付加されていると判断された場合に、当該帯画像における前記コンテンツ画像との境界部の色を、前記境界部と隣接するコンテンツ画像の色との差が所定の範囲内となるように補正する色補正手段と、
を備え、
前記輝度補正手段は、前記境界部の輝度を段階的に変化させるグラデーション処理を行い、前記色補正手段は、前記境界部の色を段階的に変化させるグラデーション処理を行うことを特徴とする。
【発明の効果】
【００１３】
本発明によれば、受信手段により受信されたデジタル放送信号中の画像データに基づき、表示手段にコンテンツ画像が表示される。また、表示制御手段により、コンテンツ画像がＳＤ画像の場合に、当該コンテンツ画像の左右に帯領域が付加された画像が１６：９のアスペクト比で表示手段に表示される。そして、判断手段により、表示手段中に表示される画像の水平方向における所定位置近傍の画像データに基づいて、ＳＤ画像からなるコンテンツ画像の左右に帯画像が付加されているか否かを判断することができる。さらに、判断手段により、コンテンツ画像の左右に帯画像が付加されていると判断された場合は、輝度補正手段によって、帯画像におけるコンテンツ画像との境界部の輝度を、当該境界部と隣接するコンテンツ画像の輝度との差が所定の範囲内となるように補正することができる。これにより、表示手段の画面焼けをより確実に防止することができる。
【発明を実施するための最良の形態】
【００１４】
以下、図面を参照して、本発明に係るテレビジョン受像機を実施するための最良の形態を詳細に説明する。なお、発明の範囲は以下の説明及び図示例に限定されるものではない。
【００１５】
まず、本発明の実施形態に係るテレビジョン受像機１００の構成について図１，図２を参照しながら説明する。本実施形態に係るテレビジョン受像機１００は、例えば、図１，図２に示すように、アンテナ１，チューナ部２，復調部３，デコーダ４，画像分析回路５，輝度補正回路６，色補正回路７，表示部８，音出力部９，リモコン受信回路１０，リモコンＲ，制御部１１等を備えて構成されている。
【００１６】
アンテナ１は、例えば、パラボラアンテナやＵＨＦアンテナ等であり、地上波デジタル放送，ＢＳ・ＣＳ放送等のデジタルハイビジョン放送信号を含む放送波を受信し、地上波デジタル信号，ＢＳ・ＣＳ放送信号等のＲＦ（Radio Frequency）信号をチューナ部２に出力する。すなわち、アンテナ１は、デジタル放送信号を受信する本発明の受信手段として機能する。なお、ＣＡＴＶ回線を介して放送波を受信する場合には、接続ケーブル（図示省略）等が備えられてもよい。
【００１７】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate Frequency）信号に変換され、Ａ／Ｄ変換回路により、生成されたＩＦ信号がデジタルデータに変換される。
【００１８】
復調部３は、例えば、チューナ部２から入力されるデジタルデータに復調処理等を行って、デコーダ４に出力する。
【００１９】
デコーダ４は、例えば、復調部３から入力されるデジタルデータに復号処理等を行って映像信号，音声信号を生成し、映像信号を画像分析回路５及び制御部１１に出力し、音声信号を音出力部９に出力する。
【００２０】
画像分析回路５は、ＣＰＵ１２（後述）が帯画像判断プログラム１４Ａ（後述）を実行することにより制御され、デコーダ４から出力される映像信号を分析して当該映像信号（デジタル放送信号）中の画像データ（例えば、輝度情報に関するデータや色情報に関するデータ等）に関する信号をＣＰＵ１２に出力する。かかる画像分析回路５は、本発明における判断手段の一部として機能する。
【００２１】
輝度補正回路６は、例えば、ＣＰＵ１２が輝度補正プログラム１４Ｂ（後述）を実行することにより制御され、デコーダ４からＣＰＵ１２を介して出力される映像信号に対して、所定の輝度補正方法に従って輝度補正処理を行う。具体的には、例えば、図３に示すように、表示部８にＳＤ画像８Ａと帯画像８Ｂとが表示される場合に、ＳＤ画像８Ａと帯画像８Ｂとの境界部８Ｃを挟んで左右両側の輝度の差が所定の範囲内となるように、帯画像８Ｂ部分の輝度を補正する。かかる輝度補正回路６は、本発明における輝度補正手段の一部として機能する。
【００２２】
色補正回路７は、例えば、ＣＰＵ１２が色補正プログラム１４C（後述）を実行することにより制御され、デコーダ４からＣＰＵ１２を介して出力される映像信号に対して所定の色補正方法に従って色補正処理を行う。具体的には、例えば、図３に示すように、表示部８にＳＤ画像８Ａと帯画像８Ｂとが表示される場合に、ＳＤ画像８Ａと帯画像８Ｂとの境界部８Ｃを挟んで左右両側の色の差が所定の範囲内となるように、帯画像８Ｂ部分の色を補正する。かかる色補正回路７は、本発明における色補正手段の一部として機能する。
【００２３】
表示部８は、例えば、ＬＣＤ（Liquid Crystal Display）やＰＤＰ（Plasma Display Panel）等を備えて構成され、ＣＰＵ１２から出力される映像信号に基づく映像を表示する。具体的には、例えば、アスペクト比が１６：９のＨＤコンテンツからなる画像（ＨＤ画像）や、アスペクト比が４：３のＳＤコンテンツの画像（ＳＤ画像８Ａ）の左右両端に帯画像８Ｂを付加することでアスペクト比を１６：９としたＨＤ画像を表示する。かかる表示部８は、アンテナ１により受信されたデジタル放送信号中の画像データに基づきコンテンツ画像を表示する本発明の表示手段として機能する。
【００２４】
音出力部９は、例えば、スピーカ等を備えて構成され、デコーダ４から出力される音声信号に基づく音声を出力する。
【００２５】
リモコン受信回路１０は、例えば、リモコンＲから出力された操作信号を制御部１１に出力する。具体的に、リモコン受信回路１０は、リモコンＲからの赤外線信号を電気信号に変換し、制御部１１に出力する。
【００２６】
リモコンＲは、例えば、各種の操作信号を入力するための各種のキー等を備え、ユーザにより操作されることによって、各種の操作信号をリモコン受信回路１０を介して制御部１１に出力する。
【００２７】
制御部１１は、例えば、図２に示すように、ＣＰＵ（Central Processing Unit）１２，ＲＡＭ（Random Access Memory）１３，記憶部１４等を備えて構成されている。
【００２８】
ＣＰＵ１２は、例えば、記憶部１４に格納された処理プログラム等を読み出して、ＲＡＭ１３に展開して実行することにより、テレビジョン受像機１００全体の制御を行う。
【００２９】
ＲＡＭ１３は、ＣＰＵ１２により実行された処理プログラム等を、ＲＡＭ１３内のプログラム格納領域に展開するとともに、入力データや上記処理プログラムが実行される際に生じる処理結果等をデータ格納領域に格納する。
【００３０】
記憶部１４は、例えば、プログラムやデータ等が予め記憶されている記憶媒体（図示せず）を有しており、この記憶媒体は、例えば、半導体メモリ等で構成されている。また、記憶部１４は、ＣＰＵ１２がテレビジョン受像機１００全体を制御する機能を実現させるための各種データ，各種処理プログラム，これらプログラムの実行により処理されたデータ等を記憶する。具体的に、記憶部１４には、例えば、図２に示すように、帯画像判断プログラム１４Ａ，輝度補正プログラム１４Ｂ，色補正プログラム１４C，表示制御プログラム１４Ｄ等が格納されている。
【００３１】
帯画像判断プログラム１４Ａは、例えば、ＣＰＵ１２に、画像分析回路５を制御して、デコーダ４から出力される映像信号を分析させることにより、表示部８に帯画像８Ｂが表示されているか否かを判断する機能を実現させるプログラムである。
具体的には、ＣＰＵ１２が帯画像判断プログラム１４Ａを実行することにより、例えば、ＳD画像８Ａとその左右両側に表示される帯画像８Ｂ，８Ｂとの境界部８Ｃ，８Ｃをそれぞれ水平方向における所定位置とし、各境界部８Ｃ，８Ｃを挟んで左右両側の画像データの輝度情報や色情報を比較することで、帯画像８Ｂが表示されているか否かの判断を行う。
【００３２】
より具体的には、例えば、画面サイズ（ＸＹ）が１３６６×７６８（アスペクト比１６：９）の表示部８に、アスペクト比が４：３のＳＤ画像８Ａを、上下の寸法が合致するように表示させる場合、ＳＤ画像８Ａの左端及び右端の境界部８Ｃがそれぞれ（Ｘ：１７１、１１９５）付近となるように帯画像８Ｂが付加されるようになっている（図３参照）。従って、ＣＰＵ１２は、帯画像判断プログラム１４Ａを実行することにより、例えば、（Ｘ：１７１、１１９５）を水平方向における所定位置とし、その左右両側（例えば、Ｘ：１７０、１７２、１１９４、１１９６等）に画像を表示するための画像データ中における輝度情報や色情報を比較する処理を、Ｙ軸方向（Ｙ：０〜７６８）に沿って順次実行し、同様の変化が見られるようであれば帯画像８Ｂが付加されていると判断する。
ＣＰＵ１２は、かかる帯画像判断プログラム１４Ａを実行することにより、画像分析回路５と共に、表示部８に表示される画像の水平方向における所定位置近傍の画像データに基づき、帯画像８Ｂが付加されているか否かを判断する本発明の判断手段として機能する。
【００３３】
ここで、帯画像８Ａが付加されているか否かをＣＰＵ１２が判断するために検出可能な変化としては、例えば、ＳＤ画像８Ａ領域の左端及び右端（例えば、Ｘ：１７２、１１９４）と、帯画像８Ｂ領域（例えば、Ｘ：１７０、１１９６）の輝度や色が所定の差を超えた状態が、Ｙ軸方向に沿って所定の割合以上検出される場合等が挙げられる。また、帯画像８Ｂが、例えば、黒色や青色等の単色表示の場合には、帯画像８Ｂ領域（例えば、Ｘ：１７０、１１９６）においてＹ軸方向に沿って同じ輝度情報及び色情報が検出され、且つ、その輝度情報及び色情報が何れかのＹ座標においてＳＤ画像８Ａ領域と異なる場合等が挙げられる。さらに、帯画像８Ｂに種々の模様が付されている場合には、Ｙ軸方向に沿って所定の割合で同様の輝度情報や色情報が繰り返し検出される場合等が挙げられる。
【００３４】
なお、境界部８Ｃ（所定位置）は、アスペクト比が４：３のＳＤ画像を上下の寸法が合致するようにして表示部８に表示させる場合、表示部８の画面サイズに応じてＳＤ画像のアスペクト比を４：３とする位置に相当する位置を言うものとする。
【００３５】
輝度補正プログラム１４Ｂは、例えば、ＣＰＵ１２に、輝度補正回路６を制御して、デコーダ４から出力される映像信号に対し所定の輝度補正方法に従って輝度補正処理を行う機能を実現させるプログラムである。
具体的には、帯画像判断プログラム１４Ａを実行したＣＰＵ１２により、表示部８に帯画像８Ｂが表示されている旨の判断がされた場合に、該ＣＰＵ１２が輝度補正プログラム１４Ｂを実行することにより、例えば、図４に示すように、境界部８Ｃよりも外側に向けて帯画像８Ｂの輝度を段階的に変化させるグラデーション処理を行う機能を実現させるプログラムである。
ＣＰＵ１２は、かかる輝度補正プログラム１４Ｂを実行することにより、輝度補正回路６とともに本発明の輝度補正手段として機能する。
【００３６】
色補正プログラム１４Cは、例えば、ＣＰＵ１２に、色補正回路７を制御して、デコーダ４から出力される映像信号に対し所定の色補正方法に従って色補正処理を行う機能を実現させるプログラムである。
具体的には、帯画像判断プログラム１４Ａを実行したＣＰＵ１２により、表示部８に帯画像８Ｂが表示されている旨の判断がされた場合に、該ＣＰＵ１２が色補正プログラム１４Ｃを実行することにより、境界部８Cよりも外側に向けて帯画像８Ｂの色を段階的に変化させるグラデーション処理を行う（例えば、図４参照）プログラムである。
ＣＰＵ１２は、かかる色補正プログラム１４Cを実行することにより、色補正回路７とともに本発明の色補正手段として機能する。
【００３７】
表示制御プログラム１４Ｄは、例えば、ＣＰＵ１２に、画像分析回路５を制御して、デコーダ４から出力される映像信号を分析させ、アスペクト比が１６：９となるように表示部８に表示させる機能を実現させるプログラムである。
具体的には、例えば、放送局から送信される放送信号に基づくコンテンツ画像がＳＤ画像の場合、ＣＰＵ１２が表示制御プログラム１４Ｄを実行することにより、そのＳＤ画像８Ａの左右両側に帯画像８Ｂ，８Ｂを付加することでアスペクト比１６：９とした画像を表示部８に表示させる機能を実現させるプログラムである。
ＣＰＵ１２は、かかる表示制御プログラム１４Ｄを実行することにより、表示部８に表示されるコンテンツ画像がＳD画像８Ａの場合に、当該コンテンツ画像の左右に帯画像８Ｂ，８Ｂが付加された画像を１６：９のアスペクト比で表示部８に表示させる本発明の表示制御手段として機能する。
【００３８】
＜実施形態の動作説明＞
次に、図５に示すフローチャートに基づき、本実施形態に係るテレビジョン受像機１００の動作説明を行う。なお、以下の動作説明においては、表示部８の画面サイズが１３６６×７６８（アスペクト比１６：９）の場合を例に説明するものとし、デジタル放送信号は、ＳＤコンテンツを含む場合においても、放送局側において帯画像が付加されてＨＤコンテンツとして送信されるものとする。
【００３９】
まず、テレビジョン受像機１００の電源がＯＮされ（ステップＳ１）、チューナ部２においてデジタル放送信号を受信すると（ステップＳ２）、ＣＰＵ１２は、帯画像判断プログラム１４Ａを実行することにより、画像分析回路５を制御してデコーダ４から出力される映像信号を分析し（ステップＳ３）、表示部８に帯画像８Ｂが付加されているか否かを判断する（ステップＳ４）。
【００４０】
その際、ＣＰＵ１２は、帯画像判断プログラム１４Ａを実行することにより、例えば、（Ｘ：１７１、１１９５）を水平方向における所定位置とし、その左右両側（例えば、Ｘ：１７０、１７２、１１９４、１１９６等）に画像を表示するための画像データ中における輝度情報や色情報を比較する処理を、Ｙ軸方向（Ｙ：０〜７６８）に沿って順次実行し、同様の変化が見られるようであれば帯画像８Ｂが付加されていると判断する。
【００４１】
ステップＳ４において、帯画像８Ｂが付加されていると判断した場合（ステップＳ４：Ｙｅｓ）、ＣＰＵ１２は、焼付け防止処理を実行する（ステップＳ５）。具体的には、ＣＰＵ１２が輝度補正プログラム１４Ｂを実行することにより、例えば、図４に示すように、境界部８Ｃよりも外側に向けて帯画像８Ｂの輝度を段階的に低下（変化）させるグラデーション処理を行うとともに、ＣＰＵ１２が色補正プログラム１４Ｃを実行することにより、境界部８Cよりも外側に向けて帯画像８Ｂの色を段階的に変化させるグラデーション処理を行う（例えば、図４参照）。
【００４２】
＜実施形態の効果＞
以上説明した本発明に係るテレビジョン受像機１００によれば、帯画像判断プログラム１４Ａを実行するＣＰＵ１２が判断手段として機能することにより、境界部８Ｃ近傍の画像データに基づいて、表示部８に表示されるＳＤ画像８Ａの左右に帯画像８Ｂが付加されているか否かを判断することができる。そして、帯画像８Ｂが付加されていると判断された場合は、輝度補正プログラム１４Ｂを実行するＣＰＵ１２が輝度補正手段として機能することにより、帯画像８Ｂの輝度を、境界部８Ｃを挟んで隣接するＳＤ画像８Ａの輝度との差が所定の範囲内となるように段階的に変化させるグラデーション処理することにより補正することができる。
【００４３】
さらに、帯画像判断プログラム１４Ａを実行するＣＰＵ１２により判断帯画像８Ｂが付加されていると判断された場合に、色補正プログラム１４Ｃを実行するＣＰＵ１２が色補正手段として機能することにより、帯画像８Ｂの色を、境界部８Ｃを挟んで隣接するＳＤ画像８Ａの色との差が所定の範囲内となるように段階的に変化させるグラデーション処理することにより補正することができる。これにより、表示部８の画面焼けを防止することができる。
【００４４】
（その他）
なお、帯画像８Ｂは、例えば、黒色や青色等の単色表示であっても良いし、例えば、格子模様等の規則的に配列された模様であってもよい。
また、本実施形態では、画面サイズ１３６６×７６８を例に説明したが、かかるサイズに限定されるものでないことは言うまでもない。
また、本実施形態では、ＳＤ画像８Ａと帯画像８Ｂとの境界部８Ｃを挟んでＸ座標が左右両側（例えば、Ｘ：１７０、１７２、１１９４、１１９６等）の走査線に注目することとしているが、これに限定されるものではなく、Ｘ座標が境界部８Ｃ（例えば、Ｘ：１７１、１１９５）近傍であって該境界部８Ｃを挟んでＳＤ画像８Ａ側と帯画像８Ｂ側の画像データを分析する構成であればよい。
また、帯画像８Ｂが、ＳＤ画像の上下に表示される場合（いわゆる、レターボックスや額縁放送等の場合）は、本実施形態で説明した輝度補正処理や色補正処理を、上下（Ｘ方向）に向けて展開する構成としてもよい。
【図面の簡単な説明】
【００４５】
【図１】本実施形態に係るテレビジョン受像機の構成を示すブロック図である。
【図２】図１のテレビジョン受像機の制御部の構成を詳細に示すブロック図である。
【図３】本実施形態に係るテレビジョン受像機における輝度補正・色補正動作を説明するための説明図である。
【図４】本実施形態に係るテレビジョン受像機における輝度補正・色補正動作を説明するための説明図である。
【図５】本実施形態に係るテレビジョン受像機の動作を示すフローチャートである。
【符号の説明】
【００４６】
１  アンテナ（受信手段）
２  チューナ部
３  復調部
４  デコーダ
５  画像分析回路（判断手段）
６  輝度補正回路（輝度補正手段）
７  色補正回路（色補正手段）
８  表示部（表示手段）
８Ａ  ＳＤ画像
８Ｂ  帯画像
８Ｃ  境界部
９  音出力部
１０  リモコン受信回路
１１  制御部
１２  ＣＰＵ（判断手段，輝度補正手段，色補正手段，表示制御手段）
１３  ＲＡＭ
１４  記憶部
１４Ａ  帯画像判断プログラム（判断手段）
１４Ｂ  輝度補正プログラム（輝度補正手段）
１４Ｃ  色補正プログラム（色補正手段）
１４Ｄ  表示制御プログラム（表示制御手段）
１００  テレビジョン受像機
Ｒ  リモコン
【図１】
2008300930.tif 000003
【図２】
2008300930.tif 000004
【図３】
2008300930.tif 000005
【図４】
2008300930.tif 000006
【図５】
2008300930.tif 000007